【事件の表示】
　特願２０００−２４９６６０「光記録媒体の製造方法及び露光装置」拒絶査定不服審判事件〔平成１３年　３月２３日出願公開、特開２００１−　７６３５０〕について、次のとおり審決する。
【結　論】
　本件審判の請求は、成り立たない。
【理　由】
I．手続の経緯・本願発明
　本件審判の請求に係る特許願（以下「本願」という。）は、平成12年８月21日（パリ条約による優先権主張1999年８月19日　韓国）に出願されたものであって、平成15年10月29日付けで拒絶すべきものである旨の査定がされ、平成16年２月２日付けで拒絶査定不服の審判請求がされ、平成16年３月３日付けで手続補正がされた。
　その後、平成18年９月８日付けで当審から拒絶理由が通知され、これに対し平成19年２月１日付けで手続補正がされたものの、再度平成19年９月５日付けで拒絶理由が通知され、これに対し平成20年３月11日付けで手続補正がされた。
　本願の請求項に係る発明は、平成20年３月11日付け手続補正により補正された明細書の特許請求の範囲の請求項１〜18に記載された事項により特定されるものと認められるところ、そのうち請求項13に係る発明は以下のとおりのものである。
　「【請求項１３】　情報の光記録が可能なランドのトラックと、情報の記録が可能なグルーブのトラックとが１回転毎に交互になるように形成され、前記トラックの両辺が同一の位相でウォブルされるとともに情報の記録が可能であり、かつ分離されたヘッダ領域の無い第１ウォブリング領域と、前記トラックの両辺が異位相でウォブルされるとともに情報の記録が可能な第２ウォブリング領域とを有し、前記第１ウォブリング領域と前記第２ウォブリング領域とが交互となる光記録媒体を製造する装置において、
　前記第１ウォブリング領域の両辺に対し、前記同一位相を表す第１のウォブリング信号としてプリフォマットされるように前記第１ウォブリング領域の領域の識別情報を生成する段階と、
　前記第２ウォブリング領域の両辺に対し、前記異位相を表す第２のウォブリング信号としてプリフォマットされるようにこの両辺に隣接したトラックに位置する第１ウォブリング領域の識別情報を生成する段階と、
　前記生成した第１と第２のウォブリング信号とこれら二つのウォブリング信号を交互に結合することにより得られた信号により、前記トラックの両辺を露光する段階と、
　から構成されることを特徴とする光記録媒体の製造方法。」（以下「本願発明」という。）
　
　
２．刊行物及びその記載
　当審からの平成19年９月５日付け拒絶の理由に引用された刊行物である韓国特許出願公開1999−23596号公報（公開日1999年３月25日）（以下「刊行物１」という。）は、審判請求人により、韓国で出願され、本件出願日である平成12年８月21日（パリ条約による優先権主張1999年８月19日　韓国）前の1999年３月25日に出願公開され公知になっている特許出願公開公報であって、そして刊行物１の韓国出願と優先権主張の基礎として共通する日本国で本件出願後に公知文献となった特開2000−40260号公報（（特許第3585737号）公開日平成12年２月８日）の記載内容も参酌していくと、特定周波数にウォブルされたトラックを有する記録媒体において、前記トラックが、読み取り可能な識別情報がプリフォーマットされた第１ウォブリング領域と、読取り可能な識別情報以外の情報がプリフォーマットされ、前記第１ウォブリング領域と交互に配置される第２ウォブリング領域を備え、ランドとグルーブの全てに情報が記録される光記録媒体に関するもので、大要、以下の記載がある。（下線は当審での付与。）
　(i)「本発明は、山(ランド)と谷(グルーブ)のトラックを有する記録媒体に関するもので、特にランドとグルーブの全てのトラックに情報が記録されるにあたり、それに適合する記録媒体に関するものである。
　最近、ビデオ及びオーディオ情報等のような各種情報を記録する記録媒体として、光記録媒体及び光磁気記録媒体等が開発・実用化されている。これらの中の光記録媒体には、すでに一般化されたCD(Compact Disc)を初めとするCD−ROM(Read Only Memory)及びDVD(Digital Versatile Disc)等の再生専用ディスクと、CD−R(Recordable)及びDVD-R等のWORM(Write Once Read Memory)タイプのディスクと、そしてCD−RW(Rewritable)及びDVD−RAM(Random Access Memory)等の再記録可能なディスクが普及または開発されている。
　通常、記録できる
ディスクには所望の位置に情報を記録できるようにアドレス(位置)情報等を含む識別(Identified、以下IDという)情報があらかじめ記録される
アドレス情報等を含むID情報が周波数変調された搬送波信号に従ってグルーブの信号トラック(12)がウォブリングされてプリフォーマットされている。
　また、ランドとグルーブの信号トラックの両方に情報が記録されるディスクとして、図２の図示のようなディスク(例えば、DVD−RAM)が知られている。このディスクは、アドレス情報等を含むID情報がプリピット列（２列）(14)の形態で記録されたヘッダーフィールドと同相位にウォブリングされたランドとグルーブの信号トラック等(10,12)からなる記録フィールドを含んでいる。このような方式のディスクでは、プリピット列（２列）等(14)からなるヘッダーフィールドに情報が記録され得ないので、記録容量が制限されるようになる。
　以上の如く、従来の記録媒体は記録可能な領域に記録され得る情報量を減少させている。」（１頁下４行〜２頁18行）
　
　(ii)「発明が解決しようとする技術的課題
従って、本発明の目的は、記録可能な情報量を増加させることができる記録媒体を提供することにある。
　本発明のほかの目的は、
ランドとグルーブの信号トラックの両方に記録される情報量を極大化させることができる記録媒体
　本発明のもう一つの目的は、上記の記録媒体に対し、情報の記録／再生を遂行することができる情報記録／再生装置を提供することにある。」（２頁19〜24行）
　
　(iii)「発明の構成及び適用
上記の目的を達成するために、本発明による記録媒体には特定周波数でウォブルされたトラックが含まれる。この
トラックは読み取り可能な識別情報がプリフォーマットされた第１ウォブリング領域と、上記の読み取られることのない識別情報がプリフォーマットされると共に、上記第１ウォブリング領域と交互に配置される第２ウォブリング領域を備える
　本発明による情報記録／再生装置は、上記の記録媒体の
第1ウォブリング領域にプリフォーマットされた上記の識別情報を用いて、隣接した上記第２ウォブリング領域に情報の記録／再生
　上記の目的の他に、本発明の他の目的及び特徴は、添付図面を参照した実施例に対する説明を通じて、明らかになるだろう。」（２頁25〜32行）
　
　(iv)「以下、図３ないし図11を参照し、本発明の望ましい実施について説明する。
　図３を参照すると、ランドとグルーブの信号トラック(20,22)が形成された本発明の実施例による光ディスクを図示する。これらのランドとグルーブの信号トラック(20,22)は、図４のように光ディクスの最内周から最外周まで螺旋形の形態に平行に形成されるか、または図５に示すように、ひとつの
螺旋形の信号トラックを成すように、最内周から最外周まで１回転ごとに互いに交互に配列される。ランドとグルーブの信号トラック(20,22)のそれぞれは、所定区間毎に、両辺が同位相にウォブリングされた同位相ウォブリング領域(24A)と、両辺が異なる位相にウォブリングされた異位相ウォブリング領域(24B)が交互に配置される形態で形成されており、これらの同位相ウォブリング領域(24A)と異位相ウォブリング領域(24B)は、両辺にアドレス情報等を含むID情報がプリフォーマットされた領域であって、ID情報が周波数変調された搬送波信号によって両辺がウォブリングされている。このような同位相ウォブリング領域(24A)が信号トラック(20,22)の進行方向と幅方向で異位相ウォブリング領域(24B)と交互に配置されることにより、異位相ウォブリング領域等(24B)の両辺は、他の位相にウォブリングされている。これにより、同位相ウォブリング領域(24A)上のウォブリング信号からアドレス情報が得られる。
従って、このような方式の記録媒体には、ランドの信号トラック(20)とグルーブの信号トラック(22)の両方に情報が記録され、記録可能な領域の全てが活用される
　
　(v)「図４は、図３のようなランドとグルーブの信号トラック(30,32)が最内周から最外周まで並んで形成されたディスクを図示している。直径方向では、同位相ウォブリング領域(24A)は、ランドの信号トラック(20)またはグルーブの信号トラック(22)にのみに、そして異位相ウォブリング領域(24B)は、グルーブの信号トラック(22)またはランドの信号トラック(20)にのみにそれぞれ位置している。すなわち、同位相ウォブリング領域(24A)と異位相ウォブリング領域(24B)は、円周方向と直径方向の両方で交互に現れる。また、１回転分のランドとグルーブの信号トラック(20,22)のそれぞれには、j個の同位相ウォブリング領域(24A)とj個の異位相ウォブリング領域(24B)が交互に配列され、１回転の信号トラック(20,22)がj個のフレームに分割される。ランドの信号トラック(20)にプリフォーマットされた同位相ウォブリング領域(24A)は、図６の図示の通り順次的に増加するフレーム識別コード(PID)を有し、同様にグルーブの信号トラック(22)にプリフォーマットされた同位相ウォブリング領域(24A)も図示の通り順次敵に増加するフレーム識別コード(PID)を有するようになる。（２頁51〜60行）
　
　(vi)「
図５は、図３のようなアドレス情報等を含むID情報がプリフォーマットされ、ランドの信号トラック(20)とグルーブの信号トラック(22)が一つの螺旋形態を成すように、1回転ずつ交互に配列された光ディスクを図示している。図５において、螺旋形の信号トラックは、ランド／グルーブの交差ラインを基準とし、ランドの信号トラック(20)からグルーブの信号トラック(22)に、またはグルーブの信号トラック(22)からランドの信号トラック(20)に変更される。また、同位相及び異位相ウォブリング領域(24A,24B)は、ランドの信号トラック(20)とグルーブの信号トラック(22)のそれぞれに交互に配列されている。同位相ウォブリング領域(24A)は、直径方向でグルーブの信号トラック(22)またはランドの信号トラック(20)にのみ位置している。すなわち、同位相ウォブリング領域(24A)と異位相ウォブリング領域(24B)は、円周方向と直径方向の両方で交互に現れる。この場合においては、直径(すなわち信号トラックの幅)方向で同位相ウォブリング領域(24A)と異位相ウォブリング領域(24B)が交互に配置されるためには、１回転の信号トラック(40,42)に含まれる両領域等(44A,44B)の数が、内周から外周へ向かうほど１個ずつ増加する
　
　(vii)「このように、情報記録/再生装置は、図3のように、同位相ウォブリング領域(24A)及び異位相ウォブリング領域(24B)がグルーブとランドの信号トラック(20,22)上に設けられたディスク、または図８のように同位相ウォブリング領域(30A)、異位相ウォブリング領域(30B)、プリウォブリング領域(34C)及びポストウォブリング領域(34D)がランドとグルーブの信号トラック(30,32)上に設けられたディクスがアクセスされる場合に、情報記録/再生装置は、ウォブリング信号(W)の中の同位相成分から識別コード、記録クロック及び回転速度情報等を検出すると共に、異位相ウォブリング成分をエラーとして処理する。情報記録/再生装置は、同位相ウォブリング領域(24A,34A)から検出されるID情報を利用し、
図３及び図８のようなディスクの同位相ウォブリング領域(24A,34A)及び異位相ウォブリング領域(24B,34B)の全てに情報を記録する。
　
　(viii)「発明の効果
上記の如く、本発明による記録媒体では、
ランドとグルーブの信号トラックの全てに、同位相ウォブリング領域と異位相ウォブリング領域信号が交互に配列されると共に、同位相ウォブリング領域にアドレス情報等のID情報がプリフォーマットされる。このような記録媒体では、同位相ウォブリング領域上のID情報によって、情報が同位相ウォブリング領域及び異位相ウォブリング領域に記録されることによって、領域の無駄なく、ランドとグルーブの信号トラック等の全てに情報が記録される
また、本発明により、記録媒体は同期パターンがプリフォーマットされたプリ及びポストウォブリング領域等が追加で備えられることによって、迅速かつ正確にアクセスされるようになる。
以上、説明した内容によって、当業者であれば本発明の技術思想から逸脱しない範囲で、多様な変更及び修正が可能であることがわかるであろう。従って、本発明の技術的範囲は、明細書の詳細な説明に記載された内容に限定されるものでなく、特許請求の範囲によって定めなければならない。」（５頁15〜25行）
　
　以上の摘示事項、及び、図面等を総合勘案して整理すると、刊行物１には以下の発明が記載されているものと認める。
　
　「ランドの信号トラック(20)とグルーブの信号トラック(22)は一つの螺旋形態を成すように、螺旋形の信号トラックが、ランド／グルーブの交差ラインを基準とし、ランドの信号トラック(20)からグルーブの信号トラック(22)に、またはグルーブの信号トラック(22)からランドの信号トラック(20)に変更されて１回転ずつ交互に配列され、
　上記各信号トラックには、
　ディスクの所望の位置に情報を記録できるようにアドレス(位置)情報等を含む識別(Identified、以下IDという)情報があらかじめプリフォーマットされた第１（同位相）ウォブリング領域と、読み取られることのない識別情報がプリフォーマットされ第１（同位相）ウォブリング領域と交互に配置される第２（異位相）ウォッブリング領域と、
　を備え、
　上記各信号トラック上において、第１（同位相）ウォブリング領域(24A)が、信号トラック(20,22)の進行方向と、幅方向で、第２（異位相）ウォッブリング領域(24B)と交互に配置され、
　第１（同位相）ウォブリング領域(24A)が、信号トラック(20,22)の進行方向と、幅方向で、第２（異位相）ウォブリング領域(24B)と交互に配置されることにより、第２（異位相）ウォブリング領域等(24B)の両辺は、他の位相（異位相）にウォブリングされているが、第１（同位相）ウォブリング領域(24A)上のウォブリング信号からアドレス情報を得て、
　第１（同位相）ウォブリング領域(24A)及び第２（異位相）ウォブリング領域(24B)の全てに情報を記録する光記録媒体。」（以下「刊行物１発明」という。）
　
　同じく当審からの拒絶の理由に引用された刊行物である特開平11−53772号公報（以下「刊行物２」という。）は、光ディスク及び光ディスク装置に関するものであって以下の記載がある。
　(ix)「【０００１】
　【発明の属する技術分野】
　本発明は、高密度記録可能な光記録媒体に関するものであり、さらには、かかる
光記録媒体の製造に用いて好適な光学カッティング方法、光学カッティング装置
　
　(x)「【０００３】この場合、グルーブ構造としては、高密度化に有利なランド／グルーブ記録方式が採用されている。
　【０００４】上記ランド／グルーブ記録方式では、
ランドとグルーブの両方に記録再生が可能なフォーマット
　
　(xi)「【００１０】
【課題を解決するための手段】上述の目的を達成するために、本発明の光記録媒体は、グルーブの両側縁が互いに逆位相となるようにウォブルされ、当該
グルーブの幅の変化によりクロック信号が記録されている
【００１１】このように
グルーブの両側縁が逆位相となるようにウォブルする
【００１２】上記のような光記録媒体を製造する場合、クロック部の幅変調をレーザパワーを変更することで実現することが考えられるが、ウォブル量が３０ｎｍ程度と少ないため、レーザパワーの制御が難しく、目標とするウォブル幅を得ることが難しい。また、得られたとしても、同一原盤内で内外周差が生じたり、スタンパ毎にウォブル量がばらつく等の問題が発生する。
【００１３】本発明の光学カッティング方法及び光学カッティング装置は、このような問題を解決するために案出されたものである。
【００１４】すなわち、本発明の光学カッティング方法は、高周波で露光ビームをウォブルさせながらレジストを露光し、前記高周波ウォブルをグルーブ形状に応じたエンベロープに変調することで所望のグルーブ形状にパターニングすることを特徴とするものであり、あるいは、
互いに逆位相でウォブルされる２ビームによりレジストを露光し、これら２ビームを重ね合わせることで幅が変化するグルーブをパターニングする
【００１５】また、本発明のカッティング装置は、露光ビームを出射する光源と、前記露光ビームを高周波でウォブルする偏向素子と、前記偏向素子に入力される高周波をグルーブ形状に応じたエンベロープに変調する制御手段とを備えることを特徴とするものであり、あるいは、露光ビームを出射する光源と、出射された露光ビームを２ビームに分割するビームスプリッタと、分割された各ビームをウォブルさせる偏向素子と、２ビームのウォブルが互いに逆位相となるように上記偏向素子を制御する制御手段とを備えることを特徴とするものである。
【００１６】これら光学カッティング方法、光学カッティング装置によれば、幅変調されたグルーブが安定に形成される。
【００１７】
【発明の実施の形態】本発明の光記録媒体、例えば光磁気ディスクにおいては、
スパイラル状あるいは同心円状のグルーブが形成されており、このグルーブ及びグルーブ間のランドの両者にユーザデータが記録再生される構成とされている
【００１８】図１は、この光磁気ディスクにおけるグルーブＧ及びランドＬの形状を示すものである。
【００１９】クロック領域では、グルーブＧは、両側縁が互いに逆位相でウォブルされており、その結果、グルーブ幅が周期的に変動する，いわゆる幅変調された状態となっている。グルーブＧ間のランドＬも同様である。
【００２０】クロック領域、すなわちデータ部には、ＥＣＣ（Error Correction Code ）等の冗長を含んだユーザデータを記録再生するが、本発明では、グルーブを幅変調することで、この信号から外部クロックを生成し、このクロックに同期して記録再生を行う。　      　
　【００２１】グルーブＧにおいて、ウォブルはトラック中心から見たときに左右が対称にされており、トラック幅が変化することで戻り光が変化し、例えば２分割フォトディテクタを用いたときに、この戻り光の変化を和信号として検出することができる。
【００２２】一方、
上記グルーブＧは、同位相でウォブルされるアドレス領域を有し、この領域に記録されたアドレス信号によりアドレス情報を得る
　
　(xii)「【００３３】さらに、レジスト原盤１６からの反射光をモニタする反射光モニタカメラ２０も設けられている。
【００３４】上述の構成の光学カッティング装置において、フォーマッタ８から電圧３０ｍＶ、周波数１．２１５ＭＨｚのサイン波、および逆相のサイン波を発生させ、それぞれ光偏向素子６，７に入力する。
【００３５】これにより、図６Ａに示すように、
各ビームＢ1，Ｂ2は互いに逆相でウォブルされ、レジスト原盤１６の番面上でこれら２ビームＢ1，Ｂ2の間隔の設定により、グルーブ幅が決まる。そして、この逆相ウォブルにより、図６Ｂに示すように、グルーブに周期的に幅狭部、幅広部を形成する
【００３６】
アドレスは、グルーブ幅を変えない半径方向のウォブルになるので、ウォブル信号を同相のまま光偏向素子６，７に入力することによって形成される
【００３７】
アドレス露光時
　
　
３．対比・判断
　(1)本願発明と刊行物１発明とを対比する。
　 (a)刊行物１発明の「ランドの信号トラック(20)とグルーブの信号トラック(22)は一つの螺旋形態を成すように、螺旋形の信号トラックが、ランド／グルーブの交差ラインを基準とし、ランドの信号トラック(20)からグルーブの信号トラック(22)に、またはグルーブの信号トラック(22)からランドの信号トラック(20)に変更されて1回転ずつ交互に配列」であるが、上記各トラックは１回転毎にランドとグルーブを繰り返して形成され（図４，図５参照）、さらに「第１（同位相）ウォブリング領域(24A)及び第２（異位相）ウォブリング領域(24B)」の各領域が交互に並んで（図３乃至図５参照）、「第１（同位相）ウォブリング領域(24A)及び第２（異位相）ウォブリング領域(24B)の全てに情報を記録する」と、それぞれのウォブリング領域、要するに、ランドとグルーブの両方に記録再生可能（上記(ii)(iv)(viii)等参照）であるから、これは本願発明の「情報の光記録が可能なランドのトラックと、情報の記録が可能なグルーブのトラックとが１回転毎に交互になるように形成され」に相当する。
　
　 (b)刊行物１発明の「第１（同位相）ウォブリング領域」は、「ディスクの所望の位置に情報を記録できるようにアドレス(位置)情報等を含む識別(Identified、以下IDという)情報があらかじめプリフォーマット」された同位相で、さらに「第１（同位相）ウォブリング領域(24A)及び第２（異位相）ウォブリング領域(24B)の全てに情報を記録する」というものである。また、第３図〜第７図の記載及び上記(i)の従来例との対比記載をみて、従来ヘッダーフィールドに情報が記録され得ないので、記録容量が制限されていたことの解消を課題としており、刊行物１発明においてはヘッダ領域を有することは文言どおり解釈してないもので、むしろヘッダ領域をなくして情報を記録するための手段の開示と理解できることから、これは本願発明の「トラックの両辺が同一の位相でウォブルされるとともに情報の記録が可能であり、かつ分離されたヘッダ領域の無い第１ウォブリング領域」に、刊行物１発明の「第２（異位相）ウォブリング領域等(24B)」は異位相で構成されることになるから、これは本願発明の「トラックの両辺が異位相でウォブルされるとともに情報の記録が可能な第２ウォブリング領域」に相当する。
　
　 (c)刊行物１発明の「第1（同位相）ウォブリング領域(24A)が、信号トラック(20,22)の進行方向と、幅方向で、第２（異位相）ウォッリング領域(24B)と交互に配置」であるが、これは本願発明の「前記第１ウォブリング領域と前記第２ウォブリング領域とが交互となる」配置構成に相当する。
　
　 (d)刊行物１発明の「ディスクの所望の位置に情報を記録できるようにアドレス(位置)情報等を含む識別(Identified、以下IDという)情報があらかじめプリフォーマットされた第１（同位相）ウォブリング領域と、読み取られることのない識別情報がプリフォーマットされ第１（同位相）ウォブリング領域と交互に配置される第２（異位相）ウォブリング領域」であるが、上記第１ウォブリング領域には同位相を生成するので、これは本願発明とは「前記第１ウォブリング領域の両辺に対し、前記同一位相を表す第１のウォブリング信号としてプリフォマットされるように前記第１ウォブリング領域の領域の識別情報を生成する」に相当し、また、上記事項に加え、刊行物１発明の「第２（異位相）ウォブリング領域等(24B)の両辺は、他の位相（異位相）にウォブリングされているが、第1（同位相）ウォブリング領域(24A)上のウォブリング信号からアドレス情報を得て」及び「信号トラック上において、第1（同位相）ウォブリング領域(24A)が、信号トラック(20,22)の進行方向と、幅方向で、第２（異位相）ウォブリング領域(24B)と交互に配置」の記載も参酌すると、第２ウォブリング領域は第１ウォブリング領域を進行方向及び幅方向（径方向）に飛び飛びに設けていく結果形成されるものであるから、これは本願発明の「前記第２ウォブリング領域の両辺に対し、前記異位相を表す第２のウォブリング信号としてプリフォマットされるようにこの両辺に隣接したトラックに位置する第１ウォブリング領域の識別情報を生成する」に相当する。
　
　 (e)刊行物１発明の「第1（同位相）ウォブリング領域(24A)が、信号トラック(20,22)の進行方向と、幅方向で、第２（異位相）ウォブリング領域(24B)と交互に配置される」との記載、及び、図３に係る上記（iv）の記載内容から「第1（同位相）ウォブリング領域(24A)」と「第２（異位相）ウォブリング領域(24B)」とは交互に結合してトラック両辺に形成されていることは自明であるから、これは本願発明の「生成した第１と第２のウォブリング信号とこれら二つのウォブリング信号を交互に結合することにより得られた信号により、前記トラックの両辺を」構成するに相当する。
　
　結局のところ、本願発明と刊行物１発明との［一致点］及び［相違点］は以下のとおりである。
　［一致点］　
　「情報の光記録が可能なランドのトラックと、情報の記録が可能なグルーブのトラックとが１回転毎に交互になるように形成され、前記トラックの両辺が同一の位相でウォブルされるとともに情報の記録が可能であり、かつ分離されたヘッダ領域の無い第１ウォブリング領域と、前記トラックの両辺が異位相でウォブルされるとともに情報の記録が可能な第２ウォブリング領域とを有し、前記第１ウォブリング領域と前記第２ウォブリング領域とが交互となる光記録媒体において、
　前記第１ウォブリング領域の両辺に対し、前記同一位相を表す第１のウォブリング信号としてプリフォマットされるように前記第１ウォブリング領域の領域の識別情報を生成、
　前記第２ウォブリング領域の両辺に対し、前記異位相を表す第２のウォブリング信号としてプリフォマットされるようにこの両辺に隣接したトラックに位置する第１ウォブリング領域の識別情報を生成、
　前記生成した第１と第２のウォブリング信号とこれら二つのウォブリング信号を交互に結合することにより得られた信号により、前記トラックの両辺を、
　構成される光記録媒体。」の点。
　
　［相違点］
　本願発明はそのカテゴリーが「光記録媒体の
製造方法
製造する装置
生成する段階
生成する段階
露光する段階
　
〔判断〕
　刊行物１発明の最終生成物である物としての光記録媒体が本願発明と構成上特段相違するものでないから、上記光記録媒体を製造する装置において、「（同一位相を表す）第１ウォブリング領域の領域の識別情報を
生成する段階
生成する段階
露光する段階
　もしくは、刊行物２には刊行物１発明乃至本願発明と同一の技術分野の光記録媒体で、スパイラル状にグルーブとランドとが交互に形成されたランド／グルーブ双方への記録方式で、ランドに対するウォブルはグルーブにウォブルを形成する段階をもって成し、実施例の図１にはグルーブからみて同一位相及び異位相のウォーブルがトラックの両辺を露光する段階をもって形成し、同一位相領域と異位相領域とが部分的に交互に結合される製造方法の記載があり、同様の製造方法は特開平10−21554号公報（平成18年９月８日付け拒絶理由通知で提示）にも記載されている周知技術であるから、刊行物１発明における（第１ウォブリング領域と第２ウォブリング領域とが交互となる）「光記録媒体」を
製造する装置
生成する段階
生成する段階
露光する段階
  　
　そして、上記各相違点についての判断を総合しても、本願発明の属する効果は刊行物１、刊行物２乃至周知技術から当業者が十分に予想可能なものであって、格別なものとはいえない。
　
　
４．むすび
　以上のとおり、本願請求項13に係る発明は、その出願前日本国内又は外国において頒布された刊行物に記載された発明に基づいて当業者が容易に発明をすることができたものであるから、特許法第29条第２項の規定により特許を受けることができない。
　
　したがって、本願はその余の請求項について論及するまでもなく拒絶すべきものである。
　　
　よって、結論のとおり審決する。